(57)【要約】【課題】低コストで可搬性に優れ、設置が容易な止水板を提供する。【解決手段】実施形態に係る止水装置は、施設の出入り口に用いられる止水装置であって、第１の止水板及び第２の止水板と、前記第１の止水板の一端と前記第２の止水板の一端同士を保持する保持機構と、前記出入り口の両側に設けられ、前記保持機構が施設の外側に突出するように、前記第１の止水板と前記第２の止水板同士を所定の角度を設けてそれぞれ支持する支持部材と、を備える。【選択図】図１
2020029654.tif 000002
【特許請求の範囲】
【請求項１】
施設の出入り口に用いられる止水装置であって、
第１の止水板及び第２の止水板と、
前記第１の止水板の一端と前記第２の止水板の一端同士を保持する保持機構と、
前記出入り口の両側に設けられ、前記保持機構が施設の外側に突出するように、前記第１の止水板と前記第２の止水板同士を所定の角度を設けてそれぞれ支持する支持部材と、
を備える止水装置。
【請求項２】
保持機構は、前記第１の止水板の一端と前記第２の止水板の一端同士を回動可能に接続するヒンジである請求項１に記載の止水装置。
【請求項３】
前記支持部材は、
前記出入り口の一側に設けられ、前記第１の止水板の他端を支持する第１のガイドブロックと、
前記出入り口の他側に設けられ、前記第２の止水板の他端を支持する第２のガイドブロックと、
を備える請求項１に記載の止水装置。
【請求項４】
前記第１及び前記第２のガイドブロックは、前記第１及び前記第２の止水板が挿入される凹部を備え、
前記凹部の内壁面には、前記施設の外側に向いた面に第１の止水部材が設けられている請求項１乃至３のいずれか一項に記載の止水装置。
【請求項５】
前記第１及び第２の止水板の下面には、弾性体からなり、表面が施設の外側から内側に向かって湾曲する凹部が形成された第２の止水部材が設けられる請求項１乃至４のいずれか一項に記載の止水装置。
【請求項６】
前記第１及び第２の止水板の角度を固定する固定部材を備える請求項１乃至５のいずれか一項に記載の止水装置。
【発明の詳細な説明】
【技術分野】
【０００１】
本発明は、止水装置に関する。
【背景技術】
【０００２】
台風やゲリラ豪雨の際には、地下鉄の駅構内や地下駐車場など施設に浸水することがある。従来は、施設の出入り口などに土嚢を積み上げることによって、浸水による被害を抑制していた。しかしながら、土嚢の準備や、出入り口への土嚢の積み上げには、多くの作業時間を要する。また、土嚢では、十分に止水効果が得られない場合もある。そこで、近年では、土嚢の代わりに止水板を用いる止水対策が検討されている（例えば特許文献１参照）。
【先行技術文献】
【特許文献】
【０００３】
【特許文献１】特開２０１６−２２３１４９号公報
【発明の概要】
【発明が解決しようとする課題】
【０００４】
特許文献１に開示された装置は、施設の出入り口に取り付けられる止水板を有している。当該止水板を用いることで、施設の出入り口の止水対策を短時間に行うことができる。しかしながら、この種の止水板を用いる場合には、出入り口の幅と同等の長さの止水板を用いる必要がある。そのため、例えば出入り口の間口が広い場合には、長さに応じて剛性が高い止水板が必要となる。このような止水板は製造コストが高く、可搬性にも劣る。
【０００５】
また、出入り口の幅よりも短い複数の止水板を用いる場合には、出入り口に止水板を支持するための支柱を設置する必要がある。しかしながら、出入り口への支柱の設置は、大掛かりな外構工事が必要となるため、止水板の導入費用が嵩む。また、施設によっては、支柱を常設することが困難な場合がある。
【０００６】
本発明は、上述の事情の下になされたもので、低コストで可搬性に優れ、設置が容易な止水板を提供する。
【課題を解決するための手段】
【０００７】
上記課題を解決するため、実施形態に係る止水装置は、施設の出入り口に用いられる止水装置であって、第１の止水板及び第２の止水板と、前記第１の止水板の一端と前記第２の止水板の一端同士を保持する保持機構と、前記出入り口の両側に設けられ、前記保持機構が施設の外側に突出するように、前記第１の止水板と前記第２の止水板同士を所定の角度を設けてそれぞれ支持する支持部材と、を備える。
【図面の簡単な説明】
【０００８】
【図１】建物に設置された本実施形態に係る止水装置の斜視図である。
【図２】止水ユニットの斜視図である。
【図３】止水ユニットの平面図である。
【図４】止水板の動作を説明するための図である。
【図５】止水板の斜視図である。
【図６】固定部材の平面図である。
【図７】固定部材のＡＡ断面を示す図である。
【図８】一対のガイドブロックを建物の壁とともに示す図である。
【図９】ガイドブロックを拡大して示す図である。
【図１０】固定部材の作用を説明するための図である。
【図１１】止水装置の作用を説明するための図である。
【発明を実施するための形態】
【０００９】
実施形態に係る止水装置１００について、図面を参照して説明する。説明には、相互に直交するＸ軸、Ｙ軸、Ｚ軸からなるＸＹＺ座標系を用いる。
【００１０】
図１は、建物Ｈに設置された止水装置１００の斜視図である。建物Ｈは、地下鉄の駅、地下街、地下駐車場などの出入り口Ｆを構成する構造物である。止水装置１００は、建物Ｈの出入り口Ｆに設けられ、建物Ｈの内部への浸水を抑制する。図１に示されるように、止水装置１００は、止水ユニット１及びガイドブロック３０を備えている。
【００１１】
図２は、止水ユニット１の斜視図である。図２に示されるように、止水ユニット１は、一対の止水板２と、固定部材１０を有している。止水板２は、長手方向をＸ軸方向とする部材である。止水板２は、例えば、繊維強化プラスチックやＦＲＰ（(Fiber-Reinforced Plastics）などからなる。止水板２の長さ（Ｘ軸方向の寸法）は、建物Ｈの出入り口Ｆの間口の広さによって設定される。止水板２の寸法は、例えば、長さが２０００ｍｍ、高さが５００ｍｍ、厚さが８０ｍｍである。
【００１２】
図２を参照するとわかるように、一対の止水板２は、２つのヒンジ７によってＺ軸に平行な軸回りに起伏回動可能に連結されている。ヒンジ７は、相互に着脱自在な２つの金属製の部材からなる。それぞれの部品は、止水板２にそれぞれ固定されている。このため、ヒンジ７によって起伏回動可能に接続された止水板２を分離することもできる。ヒンジ７としては、リリースヒンジやひっかけ蝶番などを用いることができる。
【００１３】
図３は、止水ユニット１を上方（＋Ｚ側）から見た平面図である。図３に示されるように、一対の止水板２は、他の止水板２に対向する側面が、Ｙ軸に対して１５度程度傾斜している。これにより、一対の止水板２が起伏回動する範囲が規制される。図３に示されるように、止水板２は、２つの止水板２のなす角度がθ１（＝１５０度）になる状態から、図４に示されるように、２つの止水板２が平行になって重なる状態まで、ヒンジ７を中心に回動する。
【００１４】
図３に示されるように、止水板２のＸ軸方向両端部には止水部材としてのパッキン４，５が接着されている。パッキン４，５は、図２に示されるように、止水板２の両端部の外縁の全部を覆うように取り付けられている。パッキン４，５は、例えば天然ゴム、耐油性ゴムなどを素材とする。パッキン４は、止水板２のＸ軸方向の側面と＋Ｙ側の面にわたって設けられている。また、パッキン５は、止水板２のＸ軸方向の側面と−Ｙ側の面にわたって設けられている。
【００１５】
図５は、止水板２の斜視図である。図５に示されるように、止水板２の下面には、止水部材としてのパッキン３が接着されている。パッキン３は止水板２の下面の−Ｘ側端から＋Ｘ側端にわたって設けられている。パッキン３の−Ｙ側の面には＋Ｙ方向に窪む凹部３ａが形成されている。凹部３ａは、パッキン３の−Ｘ側端から＋Ｘ側端にわたって設けられる溝である。止水板２は、この凹部３ａが建物Ｈの外側に向くように配置される。この状態のときに、パッキン３は、止水板２の自重によって、床面Ｇに隙間なく密着する。また、パッキン３のＸ軸方向の側面には、図５及び図２を参照するとわかるように、パッキン４，５の下端部が密着している。
【００１６】
図２に示されるように、止水板２の−Ｙ側の面には、楔８が設けられている。楔８は、パッキン４の＋Ｙ側の部分と、止水板２を介して対向する位置に配置されている。この楔８は、例えば鉄などの金属を素材とし、例えばネジなどによって、止水板２に固定されている。図５に示されるように、楔８の−Ｙ側の面は、止水板２の前面（−Ｙ側の面）に対して傾斜している。具体的には、楔８の−Ｙ側の面は、パッキン４に近づくにつれて、止水板２の前面との距離が小さくなるように傾斜している。
【００１７】
また、図２に示されるように、止水板２の−Ｙ側の面の上端部には、一対の凹部６が形成されている。凹部６は、指を掛けることが可能であり、止水板２を運搬するときなどには、止水板２の取っ手として機能する。凹部６の代わりに、止水板２を貫通する貫通口を設けてもよい。
【００１８】
固定部材１０は、図２に示されるように、一対の止水板２が角度θ１になるまで開いているときに、一対の止水板２の双方にわたって装着される部品である。固定部材１０が止水板２に固定されると、一対の止水板２のなす角が固定される。
【００１９】
図６は、固定部材１０の平面図である。また、図７は、図６に示される固定部材１０のＡＡ断面を示す図である。固定部材１０は、平面視Ｖ字状に整形されたベース板１５と、ベース板１５のＹ軸方向両端の外縁に沿って設けられる２つの側面板１４と、ベース板１５に固定された取っ手１２からなる部材である。
【００２０】
ベース板１５は、鉄などの金属からなる。２つの側面板１４それぞれも金属からなり、ベース板１５に溶接されている。２つの側面板１４は相互に平行になっている。側面板１４それぞれには、他方の側面板１４に対向する面に、緩衝部材１３が接着されている。緩衝部材１３は、例えばスポンジゴムなどからなる。図７に示されるように、側面板１４同士の距離Ｄ１は、止水板２の厚みよりもやや大きい。また、側面板１４に取り付けられ、相互に対向する２つの緩衝部材１３の距離Ｄ２は、止水板２の厚みよりやや小さい。
【００２１】
取っ手１２は、Ｕ字状に整形された部材であり、ベース板１５の上面に溶接されている。固定部材１０は、取っ手１２を持ってハンドリングすることができる。固定部材１０は、図２に示されるように、開閉した状態の２つの止水板２の境界に装着される。
【００２２】
図１に戻りガイドブロック３０は、建物Ｈに設けられた出入り口Ｆの間口を構成する壁面などに設けられる部材である。図８は、一対のガイドブロック３０を建物Ｈの壁Ｗとともに示す図である。図８に示されるように、ガイドブロック３０は出入り口Ｆを区画する壁Ｗに埋設される。ガイドブロック３０と壁Ｗの間には、適宜モルタルなどがコーキングされる。
【００２３】
ガイドブロック３０は、例えば鉄やステンレスなどの素材からなり、長手方向をＺ軸方向とする部材である。ガイドブロック３０は、例えば高さが６００ｍｍ、Ｙ軸方向の寸法が１８０ｍｍ、Ｘ軸方向の寸法が１００ｍｍである。ガイドブロック３０は、相互に対向する面に溝３５が形成されている。溝３５は、ガイドブロック３０の上端から下端にわたって形成されている。
【００２４】
図９は、ガイドブロック３０を拡大して示す図である。図９に示されるように、溝３５は、３つの内壁面３５ａ，３５ｂ，３５ｃによって区画されている。そして、内壁面３５ａはＹＺ面に対してθ２（＝１５度）傾斜しており、内壁面３５ｂ，３５ｃはＸＺ面に対してθ２（＝１５度）傾斜している。また、内壁面３５ｃには、内壁面３５ｂに向かって突出する凸部３２が形成されている。凸部３２の先端は曲面或いは球面状に整形されている。凸部３２は例えば金属あるいは樹脂からなる。
【００２５】
上述のように構成される２つのガイドブロック３０の溝３５には、止水板２の一端が挿入される。ガイドブロック３０の溝３５に止水板２が挿入されると、止水板２に設けられた楔８がガイドブロック３０の凸部３２に当接する。これにより、止水板２が挿入されると、楔８と凸部３２の協働により、止水板２がガイドブロック３０の溝３５を規定する内壁面３５ｂに押し付けられる。これにより、止水板２に設けられたパッキン４が内壁面３５ｂに密着する。
【００２６】
図８に示されるように、止水ユニット１の２つの止水板２が、出入り口Ｆの両側に設けられたガイドブロック３０の溝３５に挿入されることで、止水ユニット１は、建物Ｈの外側に突出した状態で保持される。また、この状態のときには、図５に示されるように、止水板２の下面に設けられたパッキン３が床面Ｇと密着する。そして、図３に示されるように、一対の止水板２それぞれに設けられたパッキン５が相互に密着する。また、図９に示されるように、止水板の側面に設けられたパッキン４が、ガイドブロック３０の溝３５を構成する内壁面３５ａ，３５ｂに密着する。これにより、止水装置１００によって、建物Ｈの出入り口Ｆが水密される。
【００２７】
上述のように構成される止水装置１００では、通常は止水ユニット１が、ガイドブロック３０から取り外された状態で、例えば図４に示されるように折り畳まれた状態で保管されている。この止水ユニット１を使用するときは、まず、図３に示されるように、止水板２を相互に回動して展開する。そして、図８に示されるように、止水板２の角度を調整しながら、止水板２の一端を水平に移動してガイドブロック３０の溝３５に挿入する。この状態のときには、矢印Ｐに示される方向の力に対して、止水板２が回動することはないが、矢印Ｐに示される向きと反対の方向の力に対しては、止水板２が閉じる方向に回動してしまう。そこで、図２に示されるように、固定部材１０を止水板２に装着する。
【００２８】
図１０に示されるように、固定部材１０が装着されると、固定部材１０の緩衝部材１３を介して、側面板１４によって止水板２が挟持される。これにより、止水板２の回動が規制され、止水ユニット１がガイドブロック３０に強固に固定される。このため、例えば、建物Ｈの出入り口Ｆから外に出ようとする人が、誤って止水板２に足を掛けたり、止水板２を蹴ってしまった場合にも、止水ユニット１は、ガイドブロック３０から脱落することなく、ガイドブロック３０に継続して保持される。
【００２９】
上述のようにガイドブロック３０に装着された止水ユニット１では、図１１の矢印Ｐに示されるように建物Ｈの外側から内側に水が侵入しようとすると、矢印ａに示されるように、止水板２の−Ｙ側の面に直交する方向の力を受ける。矢印ａに示される力は、両端をガイドブロック３０に支持される止水板２を白抜き矢印ｂに示される方向へ押す力として作用する。このため、止水板２はパッキン４を介してガイドブロック３０に押し付けられる。そして、白抜き矢印ｂに示される力の反力は、止水板２同士をパッキン５を介して押し付ける力とし作用する。また、図５に示されるように、矢印Ｐに示されるように水が侵入しようとすると、この水の水圧により凹部３ａを構成するパッキン５の下端部が床面Ｇに押し付けられる。その結果、水が建物Ｈに浸水しようとする場合、浸水する水の水圧が大きいほど、パッキン３，４，５による水密効果が増加する。
【００３０】
以上説明したように、本実施形態に係る止水装置１００は、回動可能に接続される一対の止水板２を備え、一対の止水板２は、水の浸水する方向とは反対の方向に突出するように支持される。これにより、建物Ｈの出入り口Ｆの中央部などに支柱を設けることなく止水を行うことができる。そのため、施設への止水装置の設置を容易に行うことができる。
【００３１】
また、出入り口Ｆの間口が広い場合にも、２つの止水板２を用いて止水を行うことができる。そのため、剛性が高く間口に応じて長くなった止水板を用いる必要がない。このため、止水板の製造コストを削減することができる。
【００３２】
また、本実施形態に係る止水ユニット１は、起伏回動自在に接続された２つの止水板２から構成される。そのため、図４に示されるように、止水ユニット１をコンパクトに折り畳んで収納することが可能となる。また、止水ユニット１を折り畳むことで、止水ユニット１の可搬性が向上する。
【００３３】
また、本実施形態に係る止水ユニット１では、連結された２つの止水板２を切り離すことができる。したがって、止水板２を切り離すことで、止水ユニット１の可搬性が向上する。
【００３４】
また、止水板２のなす各θ１を、出入り口Ｆの間口にあわせて調整することで、止水板２の長さを標準化することができる。
【００３５】
また、図４に示されるように、止水板２を折り畳んだ際、各止水板２に設けられたパッキン４，５が重なり合う。このため、パッキン４，５が緩衝材となり、止水板２を傷つけることなく運搬することができる。
【００３６】
本発明の実施形態を説明したが、上記実施形態は、例として提示したものであり、発明の範囲を限定することは意図していない。これら新規な実施形態は、その他の様々な形態で実施しうるものであり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００３７】
１  止水ユニット
２  止水板
３，４，５  パッキン
３ａ  凹部
６  凹部
７  ヒンジ
８  楔
１０  固定部材
１２  取っ手
１３  緩衝部材
１４  側面板
１５  ベース板
３０  ガイドブロック
３２  凸部
３５  溝
３５ａ，３５ｂ，３５ｃ  内壁面
１００  止水装置
Ｆ  出入り口
Ｇ  床面
Ｈ  建物
Ｗ  壁
【図１】
2020029654.tif 000003
【図２】
2020029654.tif 000004
【図３】
2020029654.tif 000005
【図４】
2020029654.tif 000006
【図５】
2020029654.tif 000007
【図６】
2020029654.tif 000008
【図７】
2020029654.tif 000009
【図８】
2020029654.tif 000010
【図９】
2020029654.tif 000011
【図１０】
2020029654.tif 000012
【図１１】
2020029654.tif 000013
【手続補正書】
【提出日】平成31年4月25日(2019.4.25)
【手続補正１】
【補正対象書類名】明細書
【補正対象項目名】０００７
【補正方法】変更
【補正の内容】
【０００７】
上記課題を解決するため、実施形態に係る止水装置は、
施設の出入り口に用いられる止水装置であって、
第１の止水板及び第２の止水板と、
前記第１の止水板の一端と前記第２の止水板の一端同士を保持する保持機構と、
前記出入り口の両側に設けられ、前記保持機構が前記施設の外側に突出するように、前記第１の止水板と前記第２の止水板同士を所定の角度を設けてそれぞれ支持する支持部材と、
を備え、
前記支持部材は、前記出入り口の一側に設けられ、前記第１の止水板の他端を支持する第１のガイドブロックと、前記出入り口の他側に設けられ、前記第２の止水板の他端を支持する第２のガイドブロックと、を備え、
前記第１及び前記第２のガイドブロックは、第１及び第２の凹部を備え、
前記第１の凹部の深さ方向は、前記出入り口の幅方向に対して傾斜し、前記第１の凹部には、前記第１の止水板が該深さ方向に挿入され、
前記第２の凹部の深さ方向は、前記出入り口の幅方向に対して傾斜し、前記第２の凹部には、前記第２の止水板が該深さ方向に挿入される。
【手続補正２】
【補正対象書類名】特許請求の範囲
【補正対象項目名】全文
【補正方法】変更
【補正の内容】
【特許請求の範囲】
【請求項１】
施設の出入り口に用いられる止水装置であって、
第１の止水板及び第２の止水板と、
前記第１の止水板の一端と前記第２の止水板の一端同士を保持する保持機構と、
前記出入り口の両側に設けられ、前記保持機構が前記施設の外側に突出するように、前記第１の止水板と前記第２の止水板同士を所定の角度を設けてそれぞれ支持する支持部材と、
を備え、
前記支持部材は、前記出入り口の一側に設けられ、前記第１の止水板の他端を支持する第１のガイドブロックと、前記出入り口の他側に設けられ、前記第２の止水板の他端を支持する第２のガイドブロックと、を備え、
前記第１及び前記第２のガイドブロックは、第１及び第２の凹部を備え、
前記第１の凹部の深さ方向は、前記出入り口の幅方向に対して傾斜し、前記第１の凹部には、前記第１の止水板が該深さ方向に挿入され、
前記第２の凹部の深さ方向は、前記出入り口の幅方向に対して傾斜し、前記第２の凹部には、前記第２の止水板が該深さ方向に挿入される、止水装置。
【請求項２】
前記第１の止水板は、前記施設に対して第１の内側の面を有し、
前記第２の止水板は、前記施設に対して第２の内側の面を有し、
前記第１の凹部の内壁面には、前記第１の内側の面に対向する第１面が形成され、
前記第２の凹部の内壁面には、前記第２の内側の面に対向する第２面が形成されている、請求項１に記載の止水装置。
【請求項３】
前記第１の止水板は、前記施設に対して第１の外側の面を有し、
前記第２の止水板は、前記施設に対して第２の外側の面を有し、
前記第１の凹部の内壁面には、前記第１の外側の面に対向すると共に、前記第１の止水板の他端を前記第１面とで挟んで支持する第３面が形成され、
前記第２の凹部の内壁面には、前記第２の外側の面に対向すると共に、前記第２の止水板の他端を前記第２面とで挟んで支持する第４面が形成されている、請求項２に記載の止水装置。
【請求項４】
前記保持機構は、前記第１の止水板の一端と前記第２の止水板の一端同士を回動可能に接続するヒンジである、請求項１乃至３のいずれか一項に記載の止水装置。
【請求項５】
前記第１及び第２の止水板の他端に設けられている第１の止水部材を備え、
前記第１及び第２の凹部の内壁面には、前記施設の外側に向いた面に前記第１の止水部材が密着されている、請求項１乃至４のいずれか一項に記載の止水装置。
【請求項６】
前記第１及び第２の止水板の下面に設けられ、弾性体からなり、表面が前記施設の外側から内側に向かって湾曲する凹部が形成された第２の止水部材を備える、請求項１乃至５のいずれか一項に記載の止水装置。
【請求項７】
前記第１及び第２の止水板の角度を固定する固定部材を備え、
前記固定部材は、前記第１の止水板の一端及び前記第２の止水板の一端の上部を装着可能な形状に形成されている、請求項１乃至６のいずれか一項に記載の止水装置。
【手続補正書】
【提出日】令和1年8月5日(2019.8.5)
【手続補正１】
【補正対象書類名】明細書
【補正対象項目名】０００７
【補正方法】変更
【補正の内容】
【０００７】
上記課題を解決するため、実施形態に係る止水装置は、
施設の出入り口に用いられる止水装置であって、
第１の止水板及び第２の止水板と、
前記第１の止水板の一端と前記第２の止水板の一端同士を連結して保持すると共に、連結された前記第１の止水板と前記第２の止水板とを切り離すことが可能な保持機構と、
前記出入り口の両側に設けられ、前記保持機構が前記施設の外側に突出するように、前記第１の止水板と前記第２の止水板同士を所定の角度を設けてそれぞれ支持する支持部材と、
を備え、
前記支持部材は、前記出入り口の一側に設けられ、前記第１の止水板の他端を支持する第１のガイドブロックと、前記出入り口の他側に設けられ、前記第２の止水板の他端を支持する第２のガイドブロックと、を備え、
前記第１及び前記第２のガイドブロックは、第１及び第２の凹部を備え、
前記第１の凹部の深さ方向は、前記出入り口の幅方向に対して傾斜し、前記第１の凹部には、前記第１の止水板が該深さ方向に挿入され、
前記第２の凹部の深さ方向は、前記出入り口の幅方向に対して傾斜し、前記第２の凹部には、前記第２の止水板が該深さ方向に挿入され、
前記第１の止水板は、前記施設に対して第１の外側の面と、一端側の第１の側面と、を有し、
前記第１の止水板には、弾性体からなる第３の止水部材が、前記第１の側面から前記第１の外側の面にわたって設けられ、
前記第２の止水板は、前記施設に対して第２の外側の面と、一端側の第２の側面と、を有し、
前記第２の止水板には、弾性体からなる第４の止水部材が、前記第２の側面から前記第２の外側の面にわたって設けられている。
【手続補正２】
【補正対象書類名】明細書
【補正対象項目名】００３７
【補正方法】変更
【補正の内容】
【００３７】
１  止水ユニット
２  止水板
３  パッキン（第２の止水部材）
４  パッキン（第１の止水部材）
５  パッキン（第３の止水部材，第４の止水部材）
３ａ  凹部
６  凹部
７  ヒンジ
８  楔
１０  固定部材
１２  取っ手
１３  緩衝部材
１４  側面板
１５  ベース板
３０  ガイドブロック
３２  凸部
３５  溝
３５ａ，３５ｂ，３５ｃ  内壁面
１００  止水装置
Ｆ  出入り口
Ｇ  床面
Ｈ  建物
Ｗ  壁
【手続補正３】
【補正対象書類名】特許請求の範囲
【補正対象項目名】全文
【補正方法】変更
【補正の内容】
【特許請求の範囲】
【請求項１】
施設の出入り口に用いられる止水装置であって、
第１の止水板及び第２の止水板と、
前記第１の止水板の一端と前記第２の止水板の一端同士を連結して保持すると共に、連結された前記第１の止水板と前記第２の止水板とを切り離すことが可能な保持機構と、
前記出入り口の両側に設けられ、前記保持機構が前記施設の外側に突出するように、前記第１の止水板と前記第２の止水板同士を所定の角度を設けてそれぞれ支持する支持部材と、
を備え、
前記支持部材は、前記出入り口の一側に設けられ、前記第１の止水板の他端を支持する第１のガイドブロックと、前記出入り口の他側に設けられ、前記第２の止水板の他端を支持する第２のガイドブロックと、を備え、
前記第１及び前記第２のガイドブロックは、第１及び第２の凹部を備え、
前記第１の凹部の深さ方向は、前記出入り口の幅方向に対して傾斜し、前記第１の凹部には、前記第１の止水板が該深さ方向に挿入され、
前記第２の凹部の深さ方向は、前記出入り口の幅方向に対して傾斜し、前記第２の凹部には、前記第２の止水板が該深さ方向に挿入され、
前記第１の止水板は、前記施設に対して第１の外側の面と、一端側の第１の側面と、を有し、
前記第１の止水板には、弾性体からなる第３の止水部材が、前記第１の側面から前記第１の外側の面にわたって設けられ、
前記第２の止水板は、前記施設に対して第２の外側の面と、一端側の第２の側面と、を有し、
前記第２の止水板には、弾性体からなる第４の止水部材が、前記第２の側面から前記第２の外側の面にわたって設けられている、止水装置。
【請求項２】
前記第１の止水板は、前記施設に対して第１の内側の面を有し、
前記第２の止水板は、前記施設に対して第２の内側の面を有し、
前記第１の凹部の内壁面には、前記第１の内側の面に対向する第１面が形成され、
前記第２の凹部の内壁面には、前記第２の内側の面に対向する第２面が形成されている、請求項１に記載の止水装置。
【請求項３】
前記第１の凹部の内壁面には、前記第１の外側の面に対向すると共に、前記第１の止水板の他端を前記第１面とで挟んで支持する第３面が形成され、
前記第２の凹部の内壁面には、前記第２の外側の面に対向すると共に、前記第２の止水板の他端を前記第２面とで挟んで支持する第４面が形成されている、請求項２に記載の止水装置。
【請求項４】
前記保持機構は、前記第１の止水板の一端と前記第２の止水板の一端同士を回動可能に接続すると共に、相互に着脱自在な２つの部材からなるヒンジである、請求項１乃至３のいずれか一項に記載の止水装置。
【請求項５】
前記第１及び第２の止水板の他端に設けられている第１の止水部材を備え、
前記第１及び第２の凹部の内壁面には、前記施設の外側に向いた面に前記第１の止水部材が密着されている、請求項１乃至４のいずれか一項に記載の止水装置。
【請求項６】
前記第１及び第２の止水板の下面に設けられ、弾性体からなり、表面が前記施設の外側から内側に向かって湾曲する凹部が形成された第２の止水部材を備える、請求項１乃至５のいずれか一項に記載の止水装置。
【請求項７】
前記第１及び第２の止水板の角度を固定する固定部材を備え、
前記固定部材は、前記第１の止水板の一端及び前記第２の止水板の一端の上部を装着可能な形状に形成されている、請求項１乃至６のいずれか一項に記載の止水装置。